(57)【要約】【課題】複数のメモリーカードを整理して収納できるとともに取り扱いが便利なメモリーカード収納体を提供する。【解決手段】厚さが０．３〜０．５ｍｍの樹脂製の基板１と、基板１の両面に設けられてた樹脂製のシート３とを備え、シート３の所定の部位を基板１に溶着することによって、シート３と基板１との間に、メモリーカードＫ１を収納するためのカード収納部６ａ，６ｂが複数形成されているので、複数のメモリーカードを整理して収納できるとともに取り扱いが便利なメモリーカード収納体を提供できる。【選択図】図１Ａ
2014000983.tif 000002
【特許請求の範囲】
【請求項１】
複数のメモリーカードを収納するメモリーカード収納体であって、
厚さが０．３〜０．５ｍｍの樹脂製の基板と、
この基板の少なくとも一方の面に設けられて、前記基板より薄い樹脂製のシートとを備え、
前記シートの所定の部位を前記基板に溶着することによって、前記シートと前記基板との間に、前記メモリーカードを収納するためのカード収納部が複数形成されていることを特徴とするメモリーカード収納体。
【請求項２】
前記基板の両面に前記シートがそれぞれ設けられ、
前記両シートの所定の部位をそれぞれ前記基板に溶着するとによって、一方の前記シートと前記基板との間に第１の前記カード収納部が複数形成されるともに、他方の前記シートと前記基板との間に第２の前記カード収納部が複数形成され、
前記第１のカード収納部と前記第２のカード収納部とは、前記基板を平面視して重ならないように、かつ格子状に配置されていることを特徴とする請求項１に記載のメモリーカード収納体。
【請求項３】
前記第１のカード収納部に隣接し、かつ、前記基板を挟んで前記第２のカード収納部の裏側に、情報カードを収納するための第１の情報カード収納部が前記シートの所定の部位を前記基板に溶着するとによって形成され、
前記第２のカード収納部に隣接し、かつ、前記基板を挟んで前記第１のカード収納部の裏側に、情報カードを収納するための第２の情報カード収納部が前記シートの所定の部位を前記基板に溶着するとによって形成されていることを特徴とする請求項２に記載のメモリーカード収納体。
【請求項４】
前記カード収納部への前記メモリーカードの挿抜方向において、一のカード収納部に隣り合う部位に、他のカード収納部が配置されていないこと特徴とする請求項２または３に記載のメモリーカード収納体。
【請求項５】
前記基板の縁部に、当該基板を綴じるための綴じ穴が形成され、この綴じ穴と前記基板の縁との間に切込部が形成されていることを特徴とする請求項１から請求項４のいずれか１項に記載のメモリーカード収納体。
【請求項６】
前記メモリーカードがＳＤカードであり、
前記カード収納部の溶着されている縁部と、当該カード収納部の幅方向中央部に収納されるＳＤカードの縁部との間の距離が２．０〜３．０ｍｍとなっていることを特徴とする請求項１から請求項５のいずれか１項に記載のメモリーカード収納体。
【請求項７】
前記シートに、前記カード収納部への前記メモリーカードの挿抜方向に長い穴が形成されていることを特徴とする請求項１から請求項６のいずれか一項に記載のメモリーカード収納体。
【発明の詳細な説明】
【技術分野】
【０００１】
本発明は、ＳＤカード等のメモリーカードを収納するメモリーカード収納体に関する。
【背景技術】
【０００２】
マイクロＳＤカード等のように、小さくしかも薄く形成されているメモリーカードを収納かつ持ち運び出来るような収納体の一例として、特許文献１に記載のものが知られている。
このメモリーカード用の収納ケースは、蓋部と身部からなり、メモリカードは身部の平面内に重ならないように配置されて、保持・収納され、身部の底部外側の任意の所定の場所を押圧すると任意のメモリカードを取り出すことができるようになっている。
【先行技術文献】
【特許文献】
【０００３】
【特許文献１】特開２００９−２０２８９０号公報
【発明の概要】
【発明が解決しようとする課題】
【０００４】
ところで、近年ＳＤカード等のメモリーカードは、その価格低下や、デジタルカメラ、携帯型のオーディオ機器等、メモリーカードが装着される機器が多くなるのに伴って、個人であっても多数所有することがある。
このような場合、前記従来の収納ケース（収納体）は、基本的にメモリーカードを１枚ずつ収納するものであるので、複数のメモリーカードを整理して収納するのには不向きであった。
また、収納ケースの厚さがメモリーカードより厚いため複数の収納ケースを重ねるとかなりの厚さになって、取り扱いが不便であった。
【０００５】
本発明は前記事情に鑑みてなされたもので、複数のメモリーカードを整理して収納できるとともに取り扱いが便利なメモリーカード収納体を提供することを目的としている。
【課題を解決するための手段】
【０００６】
前記目的を達成するために、本発明は、複数のメモリーカードを収納するメモリーカード収納体であって、
厚さが０．３〜０．５ｍｍの樹脂製の基板と、
この基板の少なくとも一方の面に設けられて、前記基板より薄い樹脂製のシートとを備え、
前記シートの所定の部位を前記基板に溶着することによって、前記シートと前記基板との間に、前記メモリーカードを収納するためのカード収納部が複数形成されていることを特徴とする。
【０００７】
ここで、基板の厚さを０．３〜０．５ｍｍに設定したのは、０．３ｍｍ未満では、基板が薄くなりすぎて基板の機械的強度が不足し、その結果、メモリーカードをカード収納部に挿抜（出し入れ）する際に、基板が撓みすぎて取り扱い難くなるとともに、カード収納部に収納されたメモリーカードが抜け易くなるからである。
一方、基板の厚さが０．５ｍｍを超えると、基板が厚くなりすぎて、重ねた際に厚さが厚くなりすぎるばかりか、カード収納部にメモリーカードを挿抜（出し入れ）する際に基板が殆ど撓まなくなり、挿抜し難くなるからである。
【０００８】
また、前記メモリーカードとしては、ＳＤカード、ＭｉｎｉＳＤカード、ｍｉｃｒｏＳＤカード、コンパクトフラッシュ（登録商標）、メモリースティック、メモリースティックＤＵＯ、スマートメディア等様々な記憶媒体が好適に使用でき、カード収納部の大きさを適宜調整することによって、これらの記憶媒体を容易に収納できる。
【０００９】
本発明においては、樹脂製の基板の厚さが０．３〜０．５ｍｍであるので、基板自体に適度な機械的強度を持たせることができる。したがって、カード収納部にメモリーカードを容易かつ確実に収納できるとともに、当該カード収納部からメモリーカードを容易かつ確実に取り出すことができ、さらに、カード収納部に収納されたメモリーカードの抜け出を防止できる。
また、メモリーカード収納体が基板とシートによって構成されているので、当該メモリーカード収納体の厚さ自体をメモリーカードの厚さより薄くできる。
さらに、シートの所定の部位を基板に溶着するとによって、シートと基板との間にカード収納部が複数形成されているので、複数のカード収納部を所望の位置に容易に形成できる。
したがって、複数のメモリーカードを整理して収納できるとともに取り扱いが便利なメモリーカード収納体を提供できる。
【００１０】
本発明の前記構成において、前記基板の両面に前記シートがそれぞれ設けられ、前記両シートの所定の部位をそれぞれ前記基板に溶着するとによって、一方の前記シートと前記基板との間に第１の前記カード収納部が複数形成されるともに、他方の前記シートと前記基板との間に第２の前記カード収納部が複数形成され、
前記第１のカード収納部と前記第２のカード収納部とは、前記基板を平面視して重ならないように、かつ格子状に配置されているのが好ましい。
【００１１】
このような構成によれば、基板の一方の面側にある第１のカード収納部と基板の他方の面側にある第２のカード収納部にそれぞれメモリーカードを収納できるので、メモリーカードの収納力が高まる。
また、第１のカード収納部と前記第２のカード収納部とは、基板を平面視して重ならないように格子状に配置されているので、このようなメモリーカード収納体を基板が平行となるように、かつ、一方のメモリーカード収納体の隣り合う第１のカード収納部の間に他方のメモリーカード収納体の第２のカード収納部が位置するように上下に重ねることによって、重ね合わせた厚さを抑えることができる。
さらに、第１のカード収納部と第２のカード収納部にそれぞれ収納されたメモリーカードが基板１の厚さ方向において重なることがないので、当該メモリーカードを第１のカード収納部と第２のカード収納部にそれぞれ容易に挿抜できる。
【００１２】
また、本発明の前記構成において、前記第１のカード収納部に隣接し、かつ、前記基板を挟んで前記第２のカード収納部の裏側に、情報カードを収納するための第１の情報カード収納部が前記シートの所定の部位を前記基板に溶着するとによって形成され、
前記第２のカード収納部に隣接し、かつ、前記基板を挟んで前記第１のカード収納部の裏側に、情報カードを収納するための第２の情報カード収納部が前記シートの所定の部位を前記基板に溶着するとによって形成されていてもよい。
いてもよい。
【００１３】
このような構成によれば、第１の情報カード収納部および第２の情報カード収納部に情報カードを収納することによって、これらに隣接する第１のカード収納部および第２のカード収納部に収納されているメモリーカードの情報を容易に知ることができる。したがって、複数のメモリーカードの整理に役立つ。
【００１４】
また、本発明の前記構成において、前記カード収納部への前記メモリーカードの挿抜方向において、一のカード収納部に隣り合う部位に、他のカード収納部が配置されていないのが好ましい。
【００１５】
このような構成によれば、一のカード収納部にメモリーカードを挿抜する際に、他のカード収納部に収納されているメモリーカードに干渉することがない。したがって、メモリーカードを他のメモリーカードと干渉することなく、カード収納部に容易かつ確実に挿抜できる。
【００１６】
また、本発明の前記構成において、前記基板の縁部に、当該基板を綴じるための綴じ穴が形成され、この綴じ穴と前記基板の縁との間に切込部が形成されているのが好ましい。
【００１７】
このような構成によれば、基板の厚さが０．３〜０．５ｍｍであるので、この基板に形成された綴じ穴に、複数のメモリーカード収納体を綴じる際に使用されるリング等の綴じ具を挿入する際に、この綴じ具によって押圧されて切込部が開くようにして基板の縁部が弾性的に撓むので、綴じ具を綴じ穴に容易に挿通できる。
また、綴じ穴に挿入されている綴じ具は、切込部が軽い力では開かないので、綴じ穴から容易に外れるのを防止できる。
【００１８】
ここで、基板の厚さを０．３〜０．５ｍｍに設定したのは、０．３ｍｍ未満では、基板が薄くなりすぎて機械的強度が不足して、切込部が軽い力では開いて、綴じ具が綴じ穴から容易に外れるからであり、０．５ｍｍを超えると、基板が厚くなりすぎて、重ねた際に厚さが厚くなりすぎるばかりか、綴じ具を挿入する際に、切込部が開き難くなって綴じるのに苦慮するからである。
【００１９】
また、本発明の前記構成において、前記メモリーカードがＳＤカードであり、
前記カード収納部の溶着されている縁部と、当該カード収納部の幅方向中央部に収納されるＳＤカードの縁部との間の距離が２．０〜３．０ｍｍとなっているのが望ましい。
【００２０】
このような構成によれば、ＳＤカードをカード収納部に容易に挿抜できるとともに、ＳＤカードをカード収納部に収納した際の当該ＳＤカードのホールド性がよくなる。つまり、カード収納部に収納されたメモリーカードの抜け出を防止できる。
【００２１】
ここで、前記距離を２．０〜３．０ｍｍに設定したのは、２．０ｍｍ未満では、カード収納部におけるシートと基板との間にＳＤカードを挿入するための隙間が生じ難くなって、ＳＤカードを挿抜し難くなるからであり、３．０ｍｍを超えると、カード収納部におけるＳＤカードのホールド性が悪くなるとともに、カード収納部の幅が大きくなって、スペース効率が悪くなるからである。
【００２２】
また、本発明の前記構成において、前記シートに、前記カード収納部への前記メモリーカードの挿抜方向に長い穴を形成してもよい。
【００２３】
このような構成によれば、カード収納部にメモリーカードを挿抜する際に、穴から指を差し入れてメモリーカードを挿抜方向にスライドさせることができるので、メモリーカードの挿抜を容易に行える。
【発明の効果】
【００２４】
本発明によれば、複数のメモリーカードを整理して収納できるとともに取り扱いが便利なメモリーカード収納体を提供できる。
【図面の簡単な説明】
【００２５】
【図１Ａ】本発明の第１の実施の形態に係るメモリーカード収納体を示すもので、その表面図である。
【図１Ｂ】同、裏面図である。
【図２】同、要部の断面図である。
【図３】同、メモリーカード収納体を重ねた状態を示す要部の断面図である。
【図４Ａ】同、第１変形例を示す要部の表面図である。
【図４Ｂ】同、第１変形例を示す要部の断面図である。
【図４Ｃ】同、第２変形例を示す要部の断面図である。
【図５Ａ】本発明の第２の実施の形態に係るメモリーカード収納体を示すもので、その表面図である。
【図５Ｂ】同、裏面図である。
【図６】同、第１変形例を示す要部の表面図である。
【発明を実施するための形態】
【００２６】
以下、本発明の実施の形態について図面を参照して説明する。
（第１の実施の形態）
図１Ａ〜図３は、本発明の第１の実施の形態に係るメモリーカード収納体を示すもので、図１Ａはその表面図、図２Ｂは裏面図、図２は要部の断面図、図３はメモリーカード収納体を重ねた状態を示す断面図である。
メモリーカード収納体は、樹脂製の基板１と、不織布２と、樹脂製のシート３とを備えている。
【００２７】
基板１は平面視矩形状のものであり、ポリプロピレンによって樹脂成形されており、その厚さは０．３〜０．５ｍｍに設定されており、例えば本実施の形態では０．４ｍｍに設定されている。
基板１の表裏両面には、図２に示すように、それぞれナイロン製の不織布２が設けられ、さらに、不織布２に表面にポリプロピレン製のシート３が設けられている。
シート３の厚さは０．１５〜０．１８ｍｍに設定されている。
【００２８】
基板１は、ＳＤカード等のメモリーカードＫ１（図２参照）を収納する収納領域１ａと、基板１の長辺方向に沿う縁部に設けられた綴じ部１ｂとを有しており、この綴じ部１ｂに基板１を綴じるための綴じ穴４，４が基板１の長辺方向に離間して形成されている。この綴じ穴４と基板１の長辺に沿う縁との間に切込部４ａが形成されており、この切込部４ａを弾性的に開くことによって、リング等の綴じ具を綴じ穴４に挿入できるようになっている。
【００２９】
前記不織布２とシート３は、基板１の収納領域１ａと平面視において等しい大きさ、形状に形成されており、不織布２およびシート３の四周縁を、収納領域１ａの四周縁に沿わせて配置されている。
そして、不織布２およびシート３の四周縁が超音波によって基板１に溶着されている。すなわち、不織布２およびシート３は一体的に基板１に超音波溶着されている。なお、基板１の表裏両面においてそれぞれ不織布２およびシート３の四周縁が超音溶着されているが、この超音波溶着は、基板１の表裏両面の両側から行ってもよく、一方の側から行ってもよい。また、図１Ａにおいて、基板１の収納領域１ａの四周縁に描いた点線が超音波溶着された溶着部５である。
【００３０】
前記シート３の所定の部位を基板１に不織布２とともに溶着することによって、前記シート３と基板１との間で、かつ、シート３と不織布２との間に、メモリーカードを収納するための、袋状のカード収納部６ａ，６ｂが複数形成されている。なお、本実施の形態では、シート３と不織布２とを基板１に溶着したが、不織布２は使用しなくてもよい。また、溶着は超音波溶着に限らず、熱溶着でもよい。
【００３１】
図１Ａに示すように、基板１の表面側には、シート３と基板１との間に第１のカード収納部６ａが複数形成されている。この第１のカード収納部６ａは、左右に平行離間して形成された溶着部７ａ，７ａと上下に平行離間して形成された溶着部７ｂ，７ｃとによって、略矩形状に囲まれた部分に設けられている。溶着部７ａ，７ｂ，７ｃはシート３を不織布２とともに基板１に超音波溶着することによって形成されたものである。また、溶着部７ａの端部と溶着部７ｂ，７ｃの端部とは連続していないが、連続して溶着部７ａ，７ｂ，７ｃを形成してもよい。
【００３２】
また、溶着部７ａ，７ｂ，７ｃによって囲まれているシート３には、メモリーカードＫ１を第１のカード収納部６ａに挿抜するための挿入口８が形成されている。この挿入口８は溶着部７ｂの下側において、当該溶着部７ｂに沿ってシート３をスリット状に切り欠いて形成されたものであり、このスリット８ａの長手方向略中央部には、円弧状の切欠部８ｂが前記スリット８ａと連続して形成されている。
【００３３】
また、溶着部７ａ，７ｂ，７ｃによって囲まれているシート３の略中央部には、縦長の略矩形の穴９が形成されている。この穴９は第１のカード収納部６ａに収納されたメモリーカードＫ１を当該第１のカード収納部６ａから抜き出す際に、指を差し入れてメモリーカードＫ１を、指との摩擦力によって挿入口８へ押し出すためのものである。
なお、シート３には、溶着部７ａの端部と溶着部７ｃとの端部との間に、略三角形状の逃し穴１０が形成されている。この逃し穴１０は、第１のカード収納部６ａに収納されたメモリーカードＫ１の下側の両端角部が挿入されるものであり、これによって、第１のカード収納部６ａにメモリーカードＫ１が容易に収まるようになっている。
前記のような第１のカード収納部６ａは、基板１の収納領域１ａを４行４列の格子状の領域に区分けした場合に、各行において１つおきに２つ、各列において１つおきに２つ、合計８つが基板１の表面側に形成されている。
【００３４】
また、基板１の表面側には、シート３と基板１との間に第１の情報カード収納部１１ａが複数形成されている。この第１の情報カード収納部１１ａは、第１のカード収納部６ａに縦横に隣接して設けられている。
第１の情報カード収納部１１ａは、左右に平行離間して形成された溶着部１２ａ，１２ａと上下に平行離間して形成された溶着部１２ｂ，１２ｃとによって、略矩形状に囲まれた部分に設けられている。溶着部１２ａ，１２ｂ，１２ｃは、前記溶着部７ａ，７ｂ，７ｃと同様に、シート３を不織布２とともに基板１に超音波溶着することによって形成されたものである。また、溶着部１２ａの端部と溶着部１２ｂ，１２ｃの端部とは連続していないが、連続して溶着部１２ａ，１２ｂ，１２ｃを形成してもよい。
【００３５】
また、溶着部１２ａ，１２ｂ，１２ｃによって囲まれているシート３には、情報カードＫ２（図２参照）を第１の情報カード収納部１１ａに挿抜するための挿入口１３が形成されている。この挿入口１３は溶着部１２ｂの下側において、当該溶着部１２ｂに沿ってシート３をスリット状に切り欠いて形成されたものである。なお、情報カードＫ２とは、例えばメモリーカードに記憶されている情報の内容の一部（例えば撮影年月日、撮影場所等）が記載された紙片で構成される。
前記のような第１の情報カード収納部１１ａは、基板１を４行４列の格子状の領域に区分けた場合に、各行において１つおきに２つ、各列において１つおきに２つ、合計８つが基板１の表面側に形成されている。
このように、基板１の表面側においては、第１のカード収納部６ａと第１の情報カード収納部１１ａとが縦横方向においてそれぞれ互いに隣接するようにして配置されている。
また、カード収納部６ａへのメモリーカードＫ１の挿抜方向（図１Ａにおいて上下方向）において、一のカード収納部６ａに隣り合う部位に、他のカード収納部６ａが配置されておらず、情報カード収納部１１ａが配置されているか、基板１の上縁が位置している。
【００３６】
図１Ｂに示すように、基板１の裏面側には、シート３と基板１との間に第２のカード収納部６ｂが複数形成されている。これら第２のカード収納部６ｂは、前記第１のカード収納部６ａと同様にして超音波溶着によって形成されているので、同一構成要素には同一符号を付してその説明を省略する。
【００３７】
基板１の裏面側においては、図１Ｂに示すように、第２のカード収納部６ｂが図１Ａに示す第１のカード収納部６ａと基板１を平面視して重ならないように、かつ格子状に配置されている。
すなわち、第２のカード収納部６ｂは、基板１の表面側の第１の情報カード収納部１１ａの裏側に基板１を挟んで配置されている。このようにして、第２のカード収納部６ｂを配置することによって、第１のカード収納部６ａと第２のカード収納部６ｂとは、基板１を平面視して重ならないように、かつ格子状に配置されることになる。
【００３８】
また、基板１の裏面側においては、第２の情報カード収納部１１ｂが前記第１のカード収納部６ａの裏側に基板１を挟んで設けられている。この第２の情報カード収納部１１ｂは基板１の表面側の第１の情報カード収納部１１ａと同様して、シート３の所定の部位を不織布２とともに基板１に溶着するとによって形成されたものである。
なお、この第２の情報カード収納部１１ｂの裏側に基板１を挟んで前記第１のカード収納部６ａが設けられている。
【００３９】
このようにして、第１のカード収納部６ａに隣接し、かつ、基板１を挟んで第２のカード収納部６ｂの裏側に、第１の情報カード収納部１１ａが形成され、第２のカード収納部６ｂに隣接し、かつ、基板１を挟んで第１のカード収納部６ａの裏側に、第２の情報カード収納部１１ｂが形成されている。つまり、基板１を挟んで、カード収納部６ａ，６ｂと情報カード収納部１１ａ，１１ｂとが設けられている。
また、カード収納部６ｂへのメモリーカードＫ１の挿抜方向（図１Ａ、Ｂにおいて上下方向）において、一のカード収納部６ｂに隣り合う部位に、他のカード収納部６ｂが配置されておらず、情報カード収納部１１ａが配置されているか、基板１の上縁が位置している。
【００４０】
また、図２に示すように、メモリーカードＫ１がＳＤカードである場合において、カード収納部６ａ，６ｂの溶着されている縁部（溶着部）７ａと、当該カード収納部６ａ，６ｂの幅方向中央部に収納されるＳＤカードＫ１の縁部との間の距離Ｐが２．０〜３．０ｍｍとなっている。
なお、ＳＤカードＫ１は、縦方向の長さが３２ｍｍ、横方向の長さが３２ｍｍ、厚さが１ｍｍとなっている。
【００４１】
前記のようなメモリーカード収納体を複数枚重ねる場合、図３に示すように、基板１，１を平行にして配置するとともに、第１のカード収納部６ａと第２のカード収納部６ｂとが平面視して重ならないようにして、重ね合わせる。
これによって、複数のメモリーカード収納体を複数枚重ねた際の厚さを抑えることができる。
【００４２】
本実施の形態によれば、基板１の厚さが０．３〜０．５ｍｍであるので、基板自体に機械的強度を持たせることができる。したがって、カード収納部６ａ，６ｂにメモリーカードＫ１を容易かつ確実に収納できるとともに、当該カード収納部６ａ，６ｂからメモリーカードＫ１を容易かつ確実に取り出き、さらに、カード収納部６ａ，６ｂに収納されたメモリーカードＫ１の抜け出を防止できる。
また、メモリーカード収納体が基板１と不織布２とシート３とによって構成されているので、当該メモリーカード収納体の厚さ自体をメモリーカードＫ１の厚さより薄くできる。
さらに、シート３の所定の部位を基板１に超音波溶着するとによって、シート３と基板１との間にカード収納部６ａ，６ｂが複数形成されているので、複数のカード収納部６ａ，６ｂを所望の位置に容易に形成できる。
したがって、複数のメモリーカードＫ１を整理して収納できるとともに取り扱いが便利なメモリーカード収納体を提供できる。
【００４３】
また、基板１の一方の面側にある第１のカード収納部６ａと基板１の他方の面側にある第２のカード収納部６ｂにそれぞれメモリーカードＫ１を収納できるので、メモリーカードＫ１の収納力が高まる。
さらに、第１の情報カード収納部１１ａおよび第２の情報カード収納部１１ｂに情報カードＫ２を収納することによって、これらに隣接する第１のカード収納部６ａおよび第２のカード収納部６ｂに収納されているメモリーカードＫ１の情報を容易に知ることができる。したがって、複数のメモリーカードＫ１の整理に役立つ。
【００４４】
また、一のカード収納部６ａ（６ｂ）にメモリーカードＫ１を挿入口８から挿抜する際に、周辺の他のカード収納部６ａ（６ｂ）に収納されているメモリーカードＫ１に干渉することがない。したがって、メモリーカードＫ１を他のメモリーカードＫ１と干渉することなく、カード収納部６ａ（６ｂ）に容易かつ確実に挿抜できる。
【００４５】
加えて、基板１に形成された綴じ穴４に、複数のメモリーカード収納体を綴じる際に使用されるリング等の綴じ具を挿入する際に、この綴じ具によって押圧されて切込部４ａが開くようにして基板の縁部が弾性的に撓むので、綴じ具を綴じ穴に容易に挿通できる。
また、綴じ穴に挿入されている綴じ具は、切込部が軽い力では開かないので、綴じ穴から容易に外れるのを防止できる。
また、カード収納部６ａ，６ｂの溶着されている縁部とカード収納部６ａ，６ｂの幅方向中央部に収納されるＳＤカードＫ１の縁部との間の距離が２．０〜３．０ｍｍとなっているので、ＳＤカードＫ１をカード収納部６ａ，６ｂに容易に挿抜できるとともに、ＳＤカードＫ１をカード収納部６ａ，６ｂに収納した際の当該ＳＤカードＫ１のホールド性がよくなる。
【００４６】
なお、本実施の形態では、左右に隣接するカード収納部６ａ（６ｂ）と情報カード収納部１１ａ（１１ｂ）とを所定の間隔を隔てて形成したが、図４Ａの変形例に示すように、カード収納部６ａと情報カード収納部１１ａとを隙間なく隣接して形成してもよい。
このうようにすれば、カード収納部６ａを形成する溶着部７ａと、情報カード収納部１１ａを形成する溶着部１２ａとを共通化して１つの溶着部７ａとすることができるので、溶着作業を軽減できるとともに、基板１の大きさも小さくでき、メモリーカード収納体の小型化を図れる。
【００４７】
また、この変形例でも、図４Ｂに示すように、メモリーカードＫ１がＳＤカードである場合において、カード収納部６ａ，６ｂの溶着されている縁部（溶着部）７ａと、当該カード収納部６ａ，６ｂの幅方向中央部に収納されるＳＤカードＫ１の縁部との間の距離Ｐは２．０〜３．０ｍｍとなっている。
【００４８】
また、図４Ｃの変形例に示すように、カード収納部６ａ，６ｂを、その端部が平面視において重なるように配置してもよい。この場合、平面視において、第１のカード収納部６ａの溶着部７ａが第２のカード収納部６ｂに収納されているＳＤカードＫ１の縁に重なるようにするとともに、第２のカード収納部６ｂの溶着部７ａが第１のカード収納部６ａに収納されているＳＤカードＫ１の縁に重なるようにする。
このようにすれば、メモリーカード収納体のさらなる小型化を図れる。
また、この変形例においても、カード収納部６ａ，６ｂの溶着されている縁部（溶着部）７ａと、当該カード収納部６ａ，６ｂの幅方向中央部に収納されるＳＤカードＫ１の縁部との間の距離Ｐは２．０〜３．０ｍｍとなっている。
【００４９】
（第２の実施の形態）
図５Ａおよび図５Ｂは、本発明の第２の実施の形態に係るメモリーカード収納体を示すもので、図５Ａはその表面図、図５Ｂは裏面図である。
これらの図に示すメモリーカード収納体が前記第１の実施の形態のメモリーカード収納体と異なる点は、カード収納部６ａ，６ｂと情報カード収納部１１ａ，１１ｂとの配置関係であり、超音波溶着によってカード収納部６ａ，６ｂおよび情報カード収納部１１ａ，１１ｂを形成する点については第１の実施の形態と同様であるので、その説明を省略する。
なお、第１の実施の形態と同一構成部分には同一符号を付してその説明を省略する。
【００５０】
図５Ａに示すように、基板１の表面側においては、基板１の収納領域１ａを４行４列の格子状の領域に区分けした場合に、第１行目と第３行面にそれぞれ第１のカード収納部６ａが４つ所定間隔をもって配置されており、第２行面と第４行面にそれぞれ第１の情報カード収納部１１ａが４つ所定間隔をもって配置されている。
【００５１】
また、図５Ｂに示すように、基板１の裏面側においては、収納領域１ａの第２行目と第４行面にそれぞれ第２のカード収納部６ｂが４つ所定間隔をもって配置されており、第１行面と第３行面にそれぞれ第２の情報カード収納部１１ｂが４つ所定間隔をもって配置されている。
【００５２】
このようにして、カード収納部６ａ，６ｂと情報カード収納部１１ａ，１１ｂを配置することによって、第１のカード収納部６ａと第２のカード収納部６ｂとは、基板１を平面視して重ならないように、かつそれぞれが左右方向に一列に配置されることになる。
また、第１のカード収納部６ａに隣接し、かつ、基板１を挟んで第２のカード収納部６ｂの裏側に第１の情報カード収納部１１ａが配置され、第２のカード収納部６ｂに隣接し、かつ、基板１を挟んで第１のカード収納部６ａの裏側に第２の情報カード収納部１１ｂが配置されることになる。
さらに、カード収納部６ａ（６ｂ）へのメモリーカードＫ１の挿抜方向（図５Ａおよび図５Ｂにおいて上下方向）において、一のカード収納部６ａに隣り合う部位に、他のカード収納部６ａが配置されておらず、情報カード収納部１１ａが配置されているか、基板１の上縁が位置する。
【００５３】
本実施の形態では、第１の実施の形態と同様の効果が得られる他、カード収納部６ａ，６ｂが横一列に並んでいるので、これらカード収納部６ａ，６ｂにメモリーカードＫ１を収納して整理し易いという利点がある。
また、情報カード収納部１１ａ，１１ｂもカード収納部６ａ，６ｂの直下または直上において横一列に並んでいるので、情報カードＫ２を情報カード収納部１１ａ，１１ｂに収納して整理し易いとともに、メモリーカードＫ１との対応付けも行い易いという利点がある。
【００５４】
また、一のカード収納部６ａ（６ｂ）にメモリーカードＫ１を挿入口８から挿抜する際に、周辺の他のカード収納部６ａ（６ｂ）に収納されているメモリーカードＫ１に干渉することがない。したがって、メモリーカードＫ１を他のメモリーカードＫ１と干渉することなく、カード収納部６ａ（６ｂ）に容易かつ確実に挿抜できる。
【００５５】
なお、本実施の形態では、左右に隣接するカード収納部６ａ（６ｂ）と情報カード収納部１１ａ（１１ｂ）とを所定の間隔を隔てて形成したが、図６に示すように、カード収納部６ａと情報カード収納部１１ａとを隙間なく隣接して形成してもよい。
【００５６】
この場合、カード収納部６ａを形成する溶着部７ａと、情報カード収納部１１ａを形成する溶着部１２ａとを共通化して１つの溶着部７ａとすることができるので、溶着作業を軽減できるとともに、基板１の大きさも小さくでき、メモリーカード収納体の小型化を図れる。
【００５７】
なお、第１の実施の形態および第２の実施の形態では、第１のカード収納部１１ａと第２の情報カード収納部１１ｂとを、基板１を平面視して重ならないように、かつ格子状に配置したが、本発明はこれに限ることなく、第１のカード収納部１１ａと第２の情報カード収納部１１ｂとを、基板１を平面視して重なるようにして配置してもよい。
また、第１の実施の形態および第２の実施の形態では、基板１の両面にそれぞれカード収納部６ａ，６ｂと情報カード収納部１１ａ，１１ｂとを設けたが、本発明はこれに限ることなく、一方の面にカード収納部と情報カード収納部を設けてもよい。
さらに、第１の実施の形態および第２の実施の形態では、情報カード収納部１１ａ，１１ｂを備えているが、本発明では情報カード収納部１１ａ，１１ｂは必須ではなく、備えていなくてもよい。
【符号の説明】
【００５８】
１    基板
３    シート
４    綴じ穴
６ａ  第１のカード収納部
６ｂ  第２のカード収納部
７ａ，７ｂ，７ｃ  溶着部
１１ａ  第１の情報カード収納部
１１ｂ  第２の情報カード収納部
Ｋ１  メモリーカード（ＳＤカード）
Ｋ２  情報カード
【図１Ａ】
2014000983.tif 000003
【図１Ｂ】
2014000983.tif 000004
【図２】
2014000983.tif 000005
【図３】
2014000983.tif 000006
【図４Ａ】
2014000983.tif 000007
【図４Ｂ】
2014000983.tif 000008
【図４Ｃ】
2014000983.tif 000009
【図５Ａ】
2014000983.tif 000010
【図５Ｂ】
2014000983.tif 000011
【図６】
2014000983.tif 000012